(57)【要約】【課題】マスクの取付け、取り外し作業が簡便に行え、粉塵や花粉など微小な物質がマスク内へ侵入しにくい安価な粉塵防止マスクを提供する。【解決手段】長方形平面状マスクの基布の上辺部で、鼻骨から左右の鼻翼溝および鼻翼基部に至る皮膚を覆う部分に、シリコン素材の帯状粘弾性粘着シートが連続して圧着される。シリコン素材は、胸の素肌に直接貼りつけて使用するブラジャーに用いるような皮膚への刺激が低く、皮膚への粘着性と弾力性があり、顔の凹凸形状に柔軟に対応して皮膚表面と粘着できるものである。シリコン素材は、マスクの基布に対して圧着して取り付けることが可能で、マスクの上辺部にシリコン素材を圧着させることで、マスクの上辺部に選択的にシリコン素材の粘着性と弾力性を付与できる。【選択図】図１
2014171915.tif 000002
【特許請求の範囲】
【請求項１】
長方形平面状マスクの基布の上辺部で、鼻骨から左右の鼻翼溝および鼻翼基部に至る皮膚を覆う部分に、シリコン素材の帯状粘弾性粘着シートが連続して圧着されていることを特徴とするマスク。
【請求項２】
前記粘着シートの形状が、左右の鼻翼溝に位置する部分の上下幅が、他の部分よりも幅広であることを特徴とする請求項１に記載のマスク。
【請求項３】
前記粘着シートの形状が、５〜２０ｍｍの範囲の上下幅の帯状であることを特徴とする請求項２に記載のマスク。
【請求項４】
前記マスクの基布の上辺部であって、前記粘着シートが設けられていない上辺端部が４〜７ｍｍの範囲であり、該上辺端部が外側に折り返され、マスク表面と折り返し面との挟角が２０〜４０°であることを特徴とする請求項１〜３のいずれかに記載のマスク。
【請求項５】
長方形平面状マスクの基布の上辺部で、鼻骨から左右の鼻翼溝および鼻翼基部に至る皮膚を覆う部分に、シリコン素材の帯状粘弾性粘着シートが連続して圧着され、加えて、マスクの基布の下辺部および左右辺部に、前記帯状粘弾性粘着シートが連続して圧着されていることを特徴とする請求項１〜４のいずれかに記載のマスク。
【発明の詳細な説明】
【技術分野】
【０００１】
本発明は、浮遊する塵埃や花粉などの体内への吸い込みを防止する粉塵防止マスクに関するものである。
【背景技術】
【０００２】
昨今、花粉症を患う人が増加し、また、中国からの黄砂や粉塵の到来の問題から、外出時にはマスクを着用する人が著しく増加している。また、従来から粉塵が浮遊する作業現場では、空気中に漂う粉塵の吸い込みにより作業する人の健康が害されるのを防止すべくマスクを着用する。このようなマスクは、通常、長方形の平面な形状をしており、マスクに取付けた係止バンドを耳部に係止させて、鼻部から口部の表面にマスクを当てるように着用する。
しかし、長方形の平面な形状のマスクの場合、マスク着用者の鼻部から口部まで当着させ、係止バンドを耳部に係止させてマスクを緊張させたとしても、鼻部から口部へかけての表面の凹凸面のために、鼻の両側部とマスクの上縁部との間に隙間ができやすく、この隙間から外部の粉塵や花粉がマスク内へ侵入するといった問題がある。
【０００３】
上記問題点に鑑みて、鼻部より口部までを被覆可能に形成された通気性生地体と、通気性生地体の周縁部に設けられ鼻部や口部の表面に同通気性生地体を密着させる貼着部と、が設けられた防塵マスクが知られている（特許文献１）。
また、肌に密着させることを目的として、高粘弾性の粘着剤がマスクの基布の周辺部で顔に接する部分に設けられているマスクが知られている（特許文献２）。特許文献２に開示されたマスクでは、マスクの基布の周辺部で顔に接する部分に、高粘弾性の粘着剤が設けられているが、その例として、マスクの基布の全周に設けられている実施例が説明されている。高粘弾性の粘着剤は皮膚に密着できればよく、高粘弾性の粘着剤の量及び形態は適宜調節されるものであり、その例として、高含水性のジェルや、マスクの基布の上側周辺部に鼻が入る凹部を形成させたものが実施例として説明されている。
なお、粉塵や花粉など微小な物質がマスク内へ侵入することを防止する目的ではないが、紐やゴムを用いなくても顔面からの脱落を防止できることを目的として、マスクの周縁部全周に、顔に密着させるための粘着部を備えたマスクが知られている（特許文献３）。
【先行技術文献】
【特許文献】
【０００４】
【特許文献１】実開平５−２１９６９号公報
【特許文献２】特開平１１−１２８３７８号公報
【特許文献３】実開平３−７５７５８号公報
【発明の概要】
【発明が解決しようとする課題】
【０００５】
しかし、特許文献１〜３に開示されたマスクでは、粉塵や花粉など微小な物質がマスク内へ侵入することを防止するために、顔に密着する部分であるマスク周縁部全周に粘着剤を設けているため、マスクの取付け、取り外し作業が簡便に行い難いという問題があった。
マスクを取付ける際、マスク周縁部全周に粘着剤があると、粘着剤同士が触れないようにしてマスクを取り付ける必要がある。
また、マスクを取り外すは、顔の皮膚に着いた粘着剤を拭き取る必要がある。
このように、マスク周縁部全周に粘着剤を設けたマスクでは、マスクの装着・脱着作業が煩雑となる。
上記状況に鑑みて、本発明は、マスクの取付け、取り外し作業が簡便に行え、粉塵や花粉など微小な物質がマスク内へ侵入しにくい安価なマスクを提供することを目的とする。
【課題を解決するための手段】
【０００６】
上記目的を達成すべく、本発明者は、マスク周縁部全周に粘着剤を設けるのではなく、マスク上辺部で、鼻骨から左右の鼻翼溝および鼻翼基部に至る皮膚を覆う部分にのみ粘着剤を設けることで、効果的に粉塵や花粉など微小な物質がマスク内へ侵入することを防げることの知見を得た。また、肩紐やアンダーベルトが不要で、シリコン素材の粘着性と弾力性を利用して、胸の素肌に直接貼りつけて使用するブラジャーであるヌーブラ（登録商標）などに用いるシリコン素材をマスクに圧着して取り付けることが可能であるという知見を得た。
【０００７】
すなわち、本発明のマスクは、長方形平面状マスクの基布の上辺部で、鼻骨から左右の鼻翼溝および鼻翼基部に至る皮膚を覆う部分に、シリコン素材の帯状粘弾性粘着シートが連続して圧着されていることを特徴とする。
ここで、シリコン素材は、胸の素肌に直接貼りつけて使用するブラジャーに用いるような皮膚への刺激が低く、皮膚への粘着性と弾力性があり、顔の凹凸形状に柔軟に対応して皮膚表面と粘着できるものである。
このようなシリコン素材は、マスクの基布に対して圧着して取り付けることが可能である。マスクの上辺部にシリコン素材を圧着させることで、マスクの上辺部に選択的にシリコン素材の粘着性と弾力性を付与できる。
【０００８】
また、上述の通り、マスク上辺部で、鼻骨から左右の鼻翼溝および鼻翼基部に至る皮膚を覆う部分にのみ粘着剤を設けることで、効果的に粉塵や花粉など微小な物質がマスク内へ侵入することを防げることから、マスク周縁部全周ではなく、上辺部にのみ顔の皮膚と粘着できるようにする。マスクの左右の縁部、下辺部は、従来の長方形平面状マスクと同じであり、顔と完全に密着しないで若干の隙間が生じるが、従来の長方形平面状マスクが、左右に長いことや、耳部に係止させる係止バンドによりマスクを緊張させていることから、左右から粉塵や花粉などがマスク内へ侵入する可能性が低い。また、マスクを着用した場合、顔の顎部でマスクが屈曲することになり、下辺部から粉塵や花粉などがマスク内へ侵入する可能性も低い。
【０００９】
また、上記の粘着シートの形状が、左右の鼻翼溝に位置する部分の上下幅が、他の部分よりも幅広であることがより好ましい。
左右の鼻翼溝に位置する部分が、マスクと顔の皮膚との間に最も隙間が生じやすい個所である。この左右の鼻翼溝に位置する部分を他の部分よりも幅広にすることにより、顔の皮膚との密着性をより高めることができる。
【００１０】
また、上記の粘着シートの形状が、５〜２０ｍｍの範囲の上下幅の帯状であることが更に好ましい。
粘着シートの上下幅が５ｍｍ未満であると、顔の皮膚との密着性が低く、隙間が生じる可能性があり、また、粘着シートの上下幅が２０ｍｍより大きいと顔の密着範囲が広くなりすぎて、マスク装着の快適感が低下する。
【００１１】
本発明のマスクにおいて、マスクの基布の上辺部であって、上記粘着シートが設けられていない上辺端部が４〜７ｍｍの範囲であり、該上辺端部が外側に折り返され、マスク表面と折り返し面との挟角が２０〜４０°であることが好ましい。
折り返し部分を設けることにより、マスクから出た吐息に含まれる水蒸気が上方へ上るのを折り返し部分で効果的にブロックでき、眼鏡の曇りを防止できる。
【発明の効果】
【００１２】
本発明のマスクによれば、マスクの取付け、取り外し作業が簡便に行え、かつ、粉塵や花粉の吸い込みを効果的に低減できるといった効果を有する。また、粘着シートを上辺部のみに圧着して取付けるため、製造コストが低減できる。
【図面の簡単な説明】
【００１３】
【図１】実施例１のマスクの説明図１
【図２】実施例１のマスクの説明図２
【図３】実施例２のマスクの説明図
【図４】実施例３のマスクの説明図１
【図５】実施例３のマスクの説明図２
【図６】実施例４のマスクの説明図１
【図７】実施例４のマスクの説明図２
【図８】実施例５のマスクの説明図１
【図９】実施例５のマスクの説明図２
【発明を実施するための最良の形態】
【００１４】
以下、本発明の実施形態について、図面を参照しながら詳細に説明していく。なお、本発明の範囲は、以下の実施例や図示例に限定されるものではなく、幾多の変更及び変形が可能である。
【実施例１】
【００１５】
図１，２を参照して、実施例１のマスクについて説明する。
図１に示すように、実施例１のマスクは、長方形平面状のマスクの基布２の上辺部に、シリコン素材の帯状粘弾性粘着シート４が連続して圧着されている。
実施例１のマスク１は、係止バンド３を耳部に係止させてマスクを緊張させて、マスク着用者の鼻部から口部まで当着させる。マスクを着用した場合、図２に示すように、鼻骨から左右の鼻翼溝Ａおよび鼻翼基部Ｂに至る皮膚を覆う部分に粘着シート４が位置し、鼻骨から左右の鼻翼溝Ａおよび鼻翼基部Ｂに至る皮膚に密着することになる。粘着シート４はシリコン素材であり、シートの幅は１０ｍｍである。粘着シート４の素材は、弾性・粘着性があり、皮膚に低刺激のものを使用する。弾性・粘着性があり、皮膚に低刺激のものであれば、シリコンとポリウレタンの混合材を用いてもよい。
実施例１のマスクは、マスクの上辺部のみに粘着シート４が設けられているため、マスクの取付け、取り外し作業が簡便に行うことができる。また、粉塵や花粉の吸い込みを効果的に低減できる。
また、形状保持できるように、柔軟性の樹脂からなる棒や、アルミ箔などの補助材を粘着シート４に沿って設けても構わない。
【実施例２】
【００１６】
図３を参照して、実施例２のマスクについて説明する。
実施例２のマスクでは、実施例１のマスクと異なり、粘着シート４の左右の鼻翼溝に位置する部分の上下幅が、粘着シート４の他の部分よりも幅広である。
左右の鼻翼溝に位置する部分（５ａ，５ｂ）は、マスクと顔の皮膚との間に最も隙間が生じやすい個所であり、この左右の鼻翼溝に位置する部分を他の部分よりも幅広にすることにより、顔の皮膚との密着性をより高める。左右の鼻翼溝に位置する部分（５ａ，５ｂ）の上下幅は１８ｍｍであり、他の部分の上下幅は１０ｍｍである。
【実施例３】
【００１７】
図４，５を参照して、実施例３のマスクについて説明する。
実施例３のマスクは、マスクの基布の上辺部であって、粘着シート４が設けられていない上辺端部が５ｍｍであり、その上辺端部が外側に折り返され、図４に示すように折り返し部７を構成する。
マスク表面と折り返し面との挟角は、略３０°に調整している。
折り返し部７を設けることにより、図５に示すように、マスクから出た吐息９に含まれる水蒸気（９ａ，９ｂ，９ｃ）が上方へ上るのを折り返し部７で効果的にブロックできるので、眼鏡レンズ８の曇りを効果的に防止可能である。
【実施例４】
【００１８】
図６，７を参照して、実施例４のマスクについて説明する。
実施例４のマスクは、図６に示されるように、マスクの基布の左右両端に図１に示されるような係止バンド３が備わっていない。
実施例４のマスクの装着は、図７に示すように、粘着シート４を鼻骨から左右の鼻翼溝Ａおよび鼻翼基部Ｂに至る皮膚を覆う部分に密着させることにより行う。粘着シート４はシリコン素材であり、シートの幅は１０ｍｍである。粘着シート４の素材は、弾性・粘着性があり、皮膚に低刺激のものを使用する。弾性・粘着性があり、皮膚に低刺激のものであれば、シリコンとポリウレタンの混合材を用いてもよい。
実施例４のマスクは、係止バンド３が備わっていないため、実施例１，２，３のマスクよりも、取付け、取り外し作業が簡便に行うことができる。また、長時間の利用で耳部に負担がかかり痛みが生じるということもない。さらに、係止バンド３を用いない分、安価に製造が可能である。
係止バンド３が無くても粘着シート４によりマスクと顔面は密着するので、粉塵や花粉の吸い込みの低減にも支障はない。
また、形状保持できるように、柔軟性の樹脂からなる棒や、アルミ箔などの補助材を粘着シート４に沿って設けても構わない。
【実施例５】
【００１９】
図８，９を参照して、実施例５のマスクについて説明する。
実施例５のマスクは、図８に示されるように、実施例４同様、マスクの基布の左右両端に図１に示されるような係止バンド３が備わっていない。
実施例５のマスクの皮膚接触側は、周縁部全周に、顔に密着させるための粘着シート１４を備えている。
実施例５のマスクの装着は、図９に示すように、粘着シート１４を鼻骨から左右の鼻翼溝Ａおよび鼻翼基部Ｂに至る皮膚を覆う部分を通り、頬部、顎部に沿わせ密着させることにより行う。粘着シート１４はシリコン素材であり、シートの幅は１０ｍｍである。粘着シート１４の素材は、弾性・粘着性があり、皮膚に低刺激のものを使用する。弾性・粘着性があり、皮膚に低刺激のものであれば、シリコンとポリウレタンの混合材を用いてもよい。
実施例５のマスクは、周縁部全周に粘着シート１４を備えているため、実施例１，２，３，４のマスクよりも、粉塵等の体内への吸い込みを防止する効果が高い。また、長時間の利用で耳部に負担がかかり痛みが生じるということもない。
また、形状保持できるように、柔軟性の樹脂からなる棒や、アルミ箔などの補助材を粘着シート１４の上辺部に沿って設けても構わない。
【産業上の利用可能性】
【００２０】
本発明は、粉塵や花粉などを防ぐためのマスクに有用である。
【符号の説明】
【００２１】
１    マスク
２    マスクの基布
３    係止バンド
４    粘着シート
５    幅広部
７    折り返し部
８    眼鏡レンズ
９    吐息
９ａ〜９ｃ  水蒸気
１４  粘着シート
Ａ    鼻翼溝
Ｂ    鼻翼基部
【図１】
2014171915.tif 000003
【図２】
2014171915.tif 000004
【図３】
2014171915.tif 000005
【図４】
2014171915.tif 000006
【図５】
2014171915.tif 000007
【図６】
2014171915.tif 000008
【図７】
2014171915.tif 000009
【図８】
2014171915.tif 000010
【図９】
2014171915.tif 000011